(57)【要約】【課題】コンクリート二次製品の現場への敷設の際などに生じるボルトの下方へのずれや傾きを防止することができ、かつコッターの小型化を達成することができる高さ調整金具および高さ調整装置、ならびに該高さ調整装置を用いたコンクリート二次製品の敷設方法を提供する。【解決手段】（ａ）  頭部と、該頭部の反対側の先端部とのあいだのほぼ全長にわたってオネジ部が刻設されたボルトと、（ｂ）  該ボルトのオネジ部と螺合されるメネジ部を有する内ネジ付コッターと、（ｃ）  前記ボルトのオネジ部と螺合されるメネジ部を有する内ネジ付自在調整金具とからなり、前記コッターが、互いに直径の異なる少なくとも２段の略円形の台座部からなり、該台座部は順次直径が小さくなるように配置されてなる高さ調整金具。【選択図】        図１
2004225481.tif 000002
【特許請求の範囲】
【請求項１】
コンクリート二次製品の高さ調整に用いられる金具であって、
（ａ）  頭部と、該頭部の反対側の先端部とのあいだのほぼ全長にわたってオネジ部が刻設されたボルトと、
（ｂ）  該ボルトのオネジ部と螺合されるメネジ部を有する内ネジ付コッターと、
（ｃ）  前記ボルトのオネジ部と螺合されるメネジ部を有する内ネジ付自在調整金具とからなり、
前記コッターが、互いに直径の異なる少なくとも２段の略円形の台座部からなり、該台座部は順次直径が小さくなるように配置されており、
使用に際し、前記コッターを前記ボルトの頭部側に螺合したのち、当該ボルトを前記コンクリート二次製品の底版部に形成された孔に挿入し、前記コッターの少なくとも１段の台座部が、前記底版部の孔の上面側に嵌合されて該孔と同心状に固定され、前記自在調整金具が、前記孔の下面側に設けられて前記ボルトに螺合されることを特徴とする高さ調整金具。
【請求項２】
前記ボルトの先端部が、略球面状に加工されてなる請求項１記載の高さ調整金具。
【請求項３】
前記自在調整金具が略円錐台状を呈してなる請求項１または２記載の高さ調整金具。
【請求項４】
請求項１、２または３記載の高さ調整金具と、
コンクリート二次製品が敷設される敷設面に設置され、前記高さ調整金具のボルトの略球面状の先端部に当接するスライドベースとからなり、
前記スライドベースが、硬質の２枚のプレートのあいだに当該２枚のプレートのあいだの摩擦を減らす減摩材が挟まれてなる高さ調整装置。
【請求項５】
請求項４記載の高さ調整装置を用いたコンクリート二次製品の敷設方法であって、
（ａ）  コンクリート二次製品の底版部に設けた孔の上面側に、コッターが螺合されたボルトを先端部から挿入し、前記コッターの少なくとも２段の台座部のうちの１つを前記孔に嵌合させる工程、
（ｂ）  前記底版部の孔の下面側から突出した前記ボルトの先端部側のオネジ部に自在調整金具を螺合しつつ、該自在調整金具の円錐台部を前記孔の内部に嵌合させる工程、
（ｃ）  前記ボルトの端部がスライドベースの上にくるように、前記コンクリート二次製品を所定の敷設面の位置に載置する工程、
（ｄ）  前記スライドベースの最も上のプレートを減摩材の上で滑らせることにより、前記コンクリート二次製品の水平方向の位置調整を行なう工程、および
（ｅ）  前記ボルトを回転させることにより、前記コンクリート二次製品の高さ調整を行なう工程
を含むことを特徴とするコンクリート二次製品の敷設方法。
【発明の詳細な説明】
【０００１】
【発明の属する技術分野】
本発明はコンクリート二次製品を敷設するための高さ調整金具および高さ調整装置、ならびに該高さ調整装置を用いたコンクリート二次製品の敷設方法に関する。さらに詳しくは、コンクリート二次製品の現場への敷設の際などに生じるボルトの下方へのずれや傾きを防止することができ、かつ前記高さ調整金具に用いられるコッターの小型化を達成し得る高さ調整金具および高さ調整装置、ならびに該高さ調整装置を用いたコンクリート二次製品の敷設方法に関する。
【０００２】
【従来の技術】
従来より、コンクリートボックスカルバート、擁壁ブロック、Ｕ字型水路ブロック、Ｌ字型水路ブロック、道路用側溝ブロックなど、工場において製造されるコンクリート二次製品にあっては、一定の長さを有するコンクリート二次製品を順次トラッククレーンなどを用いて敷設面上に吊り下ろし、吊り下げた状態で前後方向に動かして前後面の位置合わせを行ない、さらに敷設面とコンクリート二次製品の底面とのあいだに介在物を介入して勾配や高さ合わせを行なったのち、敷設面とコンクリート二次製品の底面とのあいだにモルタルなどの充填材を注入してコンクリート二次製品を敷設面上に固定していた。
【０００３】
しかしながら、前記作業においては、重量物を数人の作業者が狭くて深い堀穴の中で取り扱う場合が多くあり、作業性がわるい。
【０００４】
また、敷設面とコンクリート二次製品の底面とのあいだの空間を充分に確保できないために、充填材をコンクリート二次製品の底面全体にゆきわたるように注入することが困難であった。その結果、コンクリート二次製品の底面の中央部付近は中空状態のままであり、このような状態で放置するとコンクリート二次製品に偏荷重が作用し易かった。
【０００５】
このような問題を解決するために、本出願人は先に、特許文献１の図１〜３に示される高さ調整金具などを提案した。この高さ調製金具は、（ａ）  頭部と、該頭部の反対側の、先端が略球面状に加工された端部とのあいだにオネジ部が刻設されたボルトと、（ｂ）  該ボルトに挿通される略円錐台状の貫通孔付コッターと、（ｃ）  前記ボルトのオネジ部と螺合されるメネジ部を有する内ネジ付自在調整金具とから構成されている。
【０００６】
かかる従来の高さ調整金具は、コンクリート二次製品に容易に取り付けることができる。具体的には、当該金具を使用するに際し、コッターをボルトの頭部側に挿通したのち、ボルトをコンクリート二次製品の底版部に形成された複数の箇所、たとえば底版部の４隅に形成された孔に挿入し、コッターの外径の小さい方の端部が、底版部の孔の上面側に嵌合されて孔と同心に固定され、自在調整金具が、孔の下面側に設けられてボルトに螺合される。
【０００７】
ついで、高さ調整金具を取り付けたコンクリート二次製品を、現場の敷設面を構成する基礎コンクリート上に設置する。このとき、敷設面に鉄板などからなるライナープレートを高さ調整金具の下降する位置に配置しておき、ボルトの先端がライナープレートに当接するようにする。
【０００８】
そののち、ボルトをレンチなどの工具で回転させることにより、コンクリート二次製品の高さおよび傾斜を所定の高さおよび傾斜に調整することができる。また、ボルトの先端部は、ライナープレートの上に当接しているだけなので、バールなどの工具を用いてコンクリート二次製品の水平方向の微調整を容易に行なうことができる。
【０００９】
そして、コンクリート二次製品の高さおよび水平位置の調整が完了したのち、コンクリート二次製品と敷設面とのあいだにモルタルなどの充填材を注入してコンクリート二次製品を敷設する。敷設後は既存の工具を用いてボルトを容易に引き抜くことができる。
【００１０】
【特許文献１】
特開平９−２２１７６９号公報（とくに、図１〜３参照）
【００１１】
【発明が解決しようとする課題】
しかしながら、従来の高さ調整金具は、コッターがボルトに挿通されているだけであり、ボルトがコッターに対して自由に上下に動くことができる構成になっている。そのため、高さ調整金具をコンクリート二次製品に取り付けたのち、コンクリート二次製品をクレーンで吊り上げて所定の敷設面へ移動する際に、ボルトが下方へずれたり、傾く（いわゆる芯ズレが生じる）おそれがある。そのため、コンクリート二次製品の正確な高さおよび水平位置の調整ができない場合がある。さらに、ボルトが傾いた状態でコンクリート二次製品を現場に敷設すれば、ボルトに対して正しく垂直荷重が作用しないことによってボルトが変形して正しい高さ調整ができなくなる。
【００１２】
また、従来の高さ調整金具では、コッターの形状が略円錐台状を呈しているため、コッターがコンクリート二次製品の孔に挿入したときに傾斜しやすく、ボルトが傾く場合がある。そのため、自在調整金具がボルトに正しく螺合できなくなるおそれがある。しかも、略円錐台状のコッターは、安定してコンクリート二次製品の孔に嵌合するためには、全長を長くする必要があり、比較的大型で重量も重かった。
【００１３】
本発明は、かかる問題を解消するためになされたものであり、コンクリート二次製品の現場への敷設の際などに生じるボルトの下方へのずれや傾きを防止することができ、かつコッターの小型化を達成することができる高さ調整金具および高さ調整装置、ならびに該高さ調整装置を用いたコンクリート二次製品の敷設方法を提供することを目的とする。
【００１４】
【課題を解決するための手段】
本発明の高さ調整金具は、コンクリート二次製品の高さ調整に用いられる金具であって、
（ａ）  頭部と、該頭部の反対側の先端部とのあいだのほぼ全長にわたってオネジ部が刻設されたボルトと、
（ｂ）  該ボルトのオネジ部と螺合されるメネジ部を有する内ネジ付コッターと、
（ｃ）  前記ボルトのオネジ部と螺合されるメネジ部を有する内ネジ付自在調整金具とからなり、
前記コッターが、互いに直径の異なる少なくとも２段の略円形の台座部からなり、該台座部は順次直径が小さくなるように配置されており、
使用に際し、前記コッターを前記ボルトの頭部側に螺合したのち、当該ボルトを前記コンクリート二次製品の底版部に形成された孔に挿入し、前記コッターの少なくとも１段の台座部が、前記底版部の孔の上面側に嵌合されて該孔と同心状に固定され、前記自在調整金具が、前記孔の下面側に設けられて前記ボルトに螺合されることを特徴としている。
【００１５】
前記ボルトの先端部が、略球面状に加工されてなるのが好ましい。
【００１６】
前記自在調整金具が略円錐台状を呈してなるのが好ましい。
【００１７】
本発明の高さ調整装置は、前記高さ調整金具と、
コンクリート二次製品が敷設される敷設面に設置され、前記高さ調整金具のボルトの略球面状の先端部に当接するスライドベースとからなり、
前記スライドベースが、硬質の２枚のプレートのあいだに当該２枚のプレートのあいだの摩擦を減らす減摩材が挟まれてなることを特徴とする。
【００１８】
本発明の前記高さ調整装置を用いたコンクリート二次製品の敷設方法は、
（ａ）  コンクリート二次製品の底版部に設けた孔の上面側に、コッターが螺合されたボルトを先端部から挿入し、前記コッターの少なくとも２段の台座部のうちの１つを前記孔に嵌合させる工程、
（ｂ）  前記底版部の孔の下面側から突出した前記ボルトの先端部側のオネジ部に自在調整金具を螺合しつつ、該自在調整金具の円錐台部を前記孔の内部に嵌合させる工程、
（ｃ）  前記ボルトの端部がスライドベースの上にくるように、前記コンクリート二次製品を所定の敷設面の位置に載置する工程、
（ｄ）  前記スライドベースの最も上のプレートを減摩材の上で滑らせることにより、前記コンクリート二次製品の水平方向の位置調整を行なう工程、および
（ｅ）  前記ボルトを回転させることにより、前記コンクリート二次製品の高さ調整を行なう工程
を含むことを特徴とする。
【００１９】
【発明の実施の形態】
以下、添付図面に基づいて、本発明の高さ調整金具およびこれを用いた高さ調整装置を説明する。図１は本発明の高さ調整金具の一実施の形態を示す部分断面図、図２は図１の高さ調整金具を用いた高さ調整装置を示す断面図、図３は図２のコッター付近の部分拡大図および図４は図２の自在調整金具付近の部分断面図である。
【００２０】
図１〜３に示される高さ調整金具１は、頭部２と、該頭部２の反対側の、先端３が略球面状に加工された先端部４とのあいだのほぼ全長にわたってオネジ部５が刻設されたボルト６と、該ボルト６のオネジ部５と螺合するメネジ部７を有する内ネジ付コッター８と、前記ボルト６のオネジ部５と螺合されるメネジ部９を有する自在調整金具１０とから構成されている。
【００２１】
コッター８のメネジ部７は、ボルト６のオネジ部５と螺合しているため、高さ調整金具１をコンクリート二次製品に安定した状態で取り付けることができ、コンクリート二次製品３１（図２参照）を現場へ敷設する際などにボルト６が下方へずれたり、傾いたりする不具合がなくなる。
【００２２】
しかも、コッター８は、互いに直径の異なる少なくとも２段、本実施の形態では３段の略円形の台座部８ａ、８ｂ、８ｃが略同心状に形成されており、この台座部は順次直径が小さくなるように配置されているため、コンクリート二次製品３１の孔３２の直径が異なる場合でも、コッター８の台座部のうち孔３２より小さい台座部を孔３２内部に挿入し、孔３２より大きい台座部を孔３２の周辺の底版部３１ａに当接させることにより、ボルト６の傾きを防止し、ボルト６の軸心と孔３２の軸心とを正確に合わせることができる。
【００２３】
頭部２は、ボルト６を回転しやすくするために、六角形の回し部２ａが形成しており、また前記先端部４の外径は、前記オネジ部５の外径よりも小さくし、前記自在調整金具１０がオネジ部５に螺合しやすくされている。
【００２４】
また自在調整金具８は、図２に示されるコンクリート二次製品３１の孔３２に嵌合するテーパ状の円錐台部１０ａと底版部３１ａの下面と接するフランジ部１０ｂから構成されている。本実施の形態の自在調製金具１０は、テーパ状を呈しているため、図２に示されるように、コンクリート二次製品の孔３２に挿入しながらボルト６のオネジ部５に螺合すれば、ボルト６の軸心とコンクリート二次製品３１の孔３２の軸心とを自動的に一致（いわゆる芯出し）させて確実に固定することができる。それにより、ボルト６は、後述するように、傾きを生じることなく支持され、ふらつきが防止される。
【００２５】
そして、本実施の形態の高さ調整金具１の組付構造は、図２に示すように、コンクリート二次製品３１の底版部３１ａに設けたボルト挿入用の孔３２の上面側に、コッター８の中間の台座部８ｂが嵌合され、また、コッター８にめねじ部７がボルト６のオネジ部５に螺合されている。さらに孔３２の下面側にはメネジ部９を有する自在調整金具１０が配設され、自在調整金具１０がボルト６に螺合されている。
【００２６】
以上のように構成された高さ調整金具１は、図２および図４に示されるように、ボルト６の先端部４に当接してボルト６の水平方向の移動を許すスライドベース１２とともに用いられる。すなわち、高さ調整金具１およびスライドベース１２によって、コンクリート二次製品３１のための高さ調整装置が構成される。
【００２７】
スライドベース１２は、図４に示されるように、鉄板やステンレス板などで作製された硬質の２枚のプレート１３、１４のあいだに、２枚のプレート１３、１４のあいだの摩擦を減らす減摩材１５が挟まれて構成されており、プレート１３および１４が減摩材１５を介して自由にスライドすることができるようになっている。減摩材１５の材質などについては、鉄板などとの接触面における摩擦係数が低い材料であれば、本発明においてはとくに限定されるものではないが、たとえばタキロンウルモラープレート（商品名。タキロン株式会社製超高分子量ポリエチレンプレート）などを用いることができる。
【００２８】
スライドベース１２の寸法についても、本発明においてとくに限定されるものではないが、たとえば、一辺１５ｃｍの正方形の平面形状の場合、硬質プレート１３、１４の厚さを３．２〜１２ｍｍ程度、減摩材１５の厚さを１〜４ｍｍ程度に設定すればよい。
【００２９】
つぎに高さ調整金具１を用いたコンクリート二次製品３１の敷設作業について説明する。図１〜４に示されるように、まず、高さ調整金具１を底版部３１ａに据え付ける前に、自在調整金具１０を取り外しコッター８をボルト６のオネジ部５の頭部２に近い位置まで螺合した状態にする。つぎに、底版部３１ａに設けた孔３２の上面側に、ボルト６をその先端部４から挿入し、これらの全体の自重によりコッター８の中間の台座部８ｂを孔３２に嵌合させて、高さ調整金具１の位置決めおよび固定を行なう。これだけの単純な作業で、ボルト６の中心軸を孔３２の中心軸にほぼ一致させることができる。
【００３０】
なお、出荷時にあらかじめコッター８をボルト６に螺合しておくことにより、現場において部品の数をそれぞれに管理する手間が簡素化できるとともに、ボルト６にコッター８を装着しなければならない煩雑さを解消することもできる。しかも、ボルト６を底版部３１ａの孔３２の上面側から下方に向かって挿入し、孔３２に据え付ける作業においても、コッター８がボルト６から抜け落ちることがなく、抜け落ちを防止するために現場の作業者に必要とされる注意や手間が全く不要であるので、作業性が良くなる。このことは、作業環境が劣悪な狭くて深い堀穴の中での敷設作業において、とくに重要である。
【００３１】
ついで、前記孔３２の下面側から突出したボルト６の先端部４側のオネジ部５に自在調整金具１０を螺合しつつ、円錐台部１０ａを孔３２の内部に嵌合させる。この状態でコンクリート二次製品３１を基礎コンクリート２２上の所定の敷設面の位置に載置する。このとき、ボルト６の端部４は、ボルト６の配置に対応するように予め基礎コンクリート２２上に配置されたスライドベース１２の上にくるように載置される。
【００３２】
スライドベース１２は、硬質のプレート１３および１４が減摩材１５を介して自由にスライドすることができるようになっているため、基礎コンクリート２２上に載置されたコンクリート二次製品３１を水平方向の微調整、たとえば前後左右の位置合わせをする際、小さな力で容易に行なうことができる。
【００３３】
さらに、ボルト６の先端３は前述したごとく略球面状に加工されており、コンクリート二次製品の重量によりスライドベース１２の最も上にあるプレート１３にくい込んで、このプレート１３は減摩材１５の上で滑りながら高さ調整金具１と一体になって動くため、コンクリート二次製品３１の前後左右の位置合わせは、プレートと減摩材のあいだに摩擦力（コンクリート二次製品の重量の１０分の１程度の小さな力）を上回る力だけで行なうことができる。前後左右の位置合わせを行なったのちに、ボルト６の回転によりコンクリート二次製品３１の高さ調整が行なわれるが、このばあいにおいても、ボルト６の先端部４側は、円錐台状の自在調整金具１０に案内されて調芯作用を受けており、一方、ボルト６の頭部２側は、コッター８の台座部のうちの１つである台座部８ｂが孔３２内に支持されているため、ボルト６の回転が円滑となり、過大な偏心力が作用することがない。そして、高さおよび水平方向の位置調整が終了したのちに、敷設面となる基礎コンクリート２２の上面と底版部３１ａの底面とのあいだに確保された空間３４中に、透孔３３からモルタルなどの充填材を充填させて一連の作業が完了する。なお、コンクリート二次製品の水平方向の位置調整および高さ調整の順番については、どちらを先に行なってもよく、本発明ではとくに限定されるものではない。
【００３４】
つぎに前記充填作業が完了したのち、前記ボルト６を回転して、引き抜く。このとき、ボルト６の先端部４にはオネジ部を刻設していないので、充填材がオネジ部に詰まり、ボルト６が回転しなくなる不具合は発生せず、ボルト６を確実に回転して、引き抜くことができる。
【００３５】
なお、図２に示される実施の形態では、基礎コンクリート２２を設ける際に、基礎地盤２４の上に基礎栗石２３を敷いた上に基礎コンクリート２２を設けているが、本発明では基礎コンクリート２２および基礎栗石２３の種類や厚さなどについてはとくに限定されるものではなく、コンクリート二次製品３１の種類や基礎の状況に応じて適宜選択すればよい。
【００３６】
なお、ボルトは引き抜かずにコンクリート二次製品に挿通したままにしておいてもよく、このばあいボルトは一種のアンカーボルトとして機能し、コンクリート二次製品をより強固に所定の箇所に固定することができる。
【００３７】
本発明は、以上の実施の形態で示したコンクリート二次製品の擁壁ブロック以外にもボックスカルバート、道路用側溝ブロック、大型水路などあらゆるコンクリート二次製品に適用が可能であり、また本発明の要旨の範囲内において種々の改良、変更が考えられる。
【００３８】
【発明の効果】
以上説明したとおり、本発明の高さ調整金具および高さ調整装置、ならびに該高さ調整装置を用いたコンクリート二次製品の敷設方法によれば、以下のごとき効果を奏しうる。
▲１▼  コンクリート二次製品の現場への敷設の際などに生じるボルトの下方へのずれや傾きを防止することができる。
▲２▼  コッターの小型化を達成することができる。
▲３▼  コッターをコンクリート二次製品の孔に自重で落とし込み、嵌合させるだけで、ボルトと孔との中心位置のズレおよび中心軸同士の傾きを小さく抑えることができるとともに適度な固定度がえられるので、据え付け作業が容易である。
▲４▼  コッターとボルトとが螺着しているため、コッターがボルトから抜け落ちることがない。
▲５▼  また、現場において、部品の数をそれぞれに管理する手間が簡素化できるとともに、ボルトにコッターを装着しなければならない煩雑さを解消することができる。
▲６▼  ボルトを底版部の孔の上面側から下方に向かって挿入し、孔に据え付ける作業において、コッターがボルトから抜け落ちることがないので、抜け落ちを防止するために現場の作業者に必要とされる注意や手間が全く不要であり、良好な作業性がえられる。
▲７▼  また、ボルトの端部には、オネジ部が刻設されていないため、敷設作業後に、端部周辺に充填材が固化していても、簡単にボルトを回転して引き抜くことができる。
▲８▼  さらに、自在調整金具がコンクリート二次製品の孔に嵌合して、ボルトの下部を支持しているため、敷設作業におけるコンクリート二次製品の前後左右の位置合わせを行なっても、ボルトのふらつきが防止される。その結果、ボルトの回転によりコンクリート二次製品の高さ調整が確実に行なわれる。
▲９▼  摩擦抵抗の小さい減摩材を硬質のプレートで挟時した構造のスライドベースを用いており、コンクリート二次製品の重量の１０分の１程度の小さな力でコンクリート二次製品の水平方向の位置合わせを行なうことができる。
【図面の簡単な説明】
【図１】本発明の高さ調整金具の一実施の形態を示す部分断面図である。
【図２】図１の高さ調整金具を用いた高さ調整装置を示す断面図である。
【図３】図２のコッター付近の部分拡大図である。
【図４】図２の自在調整金具付近の部分断面図である。
【符号の説明】
１  高さ調整金具
２  頭部
３  先端
４  先端部
５  オネジ部
６  ボルト
８  コッター
１０  自在調整金具
１２  スライドベース
３１  コンクリート二次製品
３１ａ  底版部
３２  孔
【図１】
2004225481.tif 000003
【図２】
2004225481.tif 000004
【図３】
2004225481.tif 000005
【図４】
2004225481.tif 000006